(57)【要約】【課題】穀物乾燥機の制御装置において、一つの設定値調整具によって複数の設定値の調整を行わせ、調整具の数を少なくして廉価にするとともに、設定の幅や間隔を容易に変えさせ、乾燥条件を容易に設定させて操作性を高くすることにある。【解決手段】設定穀物量と設定水分値と設定乾燥時間とを表示する設定値表示器を設け、穀物量設定具と水分値設定具と乾燥時間設定具との少なくとも一つの設定具を選択操作した後に他の操作具を操作するかあるいは所定時間経過時に選択された設定具の操作による設定を有効とする制御手段を設けている。【選択図】図１
2007057185.tif 000002
【特許請求の範囲】
【請求項１】
穀物量と水分値と乾燥時間とを設定して穀物を乾燥制御する制御盤を設けた穀物乾燥機の制御装置において、前記制御盤には、穀物量を設定する穀物量設定具と水分値を設定する水分値設定具と乾燥時間を設定する乾燥時間設定具とを設け、前記穀物量設定具の操作後に設定穀物量を調整可能にするとともに前記水分値設定具の操作後に設定水分値を調整可能とし且つ前記乾燥時間設定具の操作後に設定乾燥時間を調整可能とする設定値調整具を設け、設定穀物量と設定水分値と設定乾燥時間とを表示する設定値表示器を設け、前記穀物量設定具と前記水分値設定具と前記乾燥時間設定具との少なくとも一つの設定具を選択操作した後に他の操作具を操作するかあるいは所定時間経過時に前記選択された設定具の操作による設定を有効とする制御手段を設けたことを特徴とする穀物乾燥機の制御装置。
【請求項２】
前記制御盤には、穀物の乾燥中に、熱風温度と穀物水分値と乾燥残時間とを順次に表示するモニタ表示器を設けたことを特徴とする請求項１に記載の穀物乾燥機の制御装置。
【請求項３】
前記設定表示器は、乾燥運転時で前記設定された穀物量と水分値と乾燥時間とを変更する場合に、新たに設定された穀物量と水分値と乾燥時間とを所定時間表示することを特徴とする請求項１に記載の穀物乾燥機の制御装置。
【発明の詳細な説明】
【技術分野】
【０００１】
この発明は、穀物乾燥機の制御装置に係り、特に乾燥条件を容易に設定することができる穀物乾燥機の制御装置に関するものである。
【背景技術】
【０００２】
穀物乾燥機の制御装置においては、穀物量を設定する穀物量設定具と、水分値を設定する水分値設定具と、乾燥時間を設定する乾燥時間設定具とを別々に設けている。これら各設定具は、ボリウム式であり、「０」位置から所定位置まで回すことにより、各設定値を独立して設定している。
【０００３】
従来、穀物乾燥機の制御装置には、水分値設定具が最大値まで操作され且つボリウム式の調整具が操作された場合に、一定範囲を超えた拡大設定範囲内で水分値を設定させるものがある。
【特許文献１】特開２０００−３９２６１号公報
【発明の開示】
【発明が解決しようとする課題】
【０００４】
ところが、従来、穀物乾燥機の制御装置においては、各設定値を設定するために、ボリウム式の複数の調整具を使用していたことから、調整具の数が多くなって高価になるとともに、設定の幅や間隔を容易に変えることができず、よって、乾燥条件を容易に設定することが困難となり、操作性が低いという不都合があった。
【０００５】
そこで、この発明の目的は、一つの設定値調整具によって複数の設定値の調整を行わせることができるので、調整具の数を少なくして廉価にするとともに、設定の幅や間隔を容易に変えさせ、乾燥条件を容易に設定させて操作性を高くする穀物乾燥機の制御装置を提供することにある。
【課題を解決するための手段】
【０００６】
この発明は、穀物量と水分値と乾燥時間とを設定して穀物を乾燥制御する制御盤を設けた穀物乾燥機の制御装置において、前記制御盤には、穀物量を設定する穀物量設定具と水分値を設定する水分値設定具と乾燥時間を設定する乾燥時間設定具とを設け、前記穀物量設定具の操作後に設定穀物量を調整可能にするとともに前記水分値設定具の操作後に設定水分値を調整可能とし且つ前記乾燥時間設定具の操作後に設定乾燥時間を調整可能とする設定値調整具を設け、設定穀物量と設定水分値と設定乾燥時間とを表示する設定値表示器を設け、前記穀物量設定具と前記水分値設定具と前記乾燥時間設定具との少なくとも一つの設定具を選択操作した後に他の操作具を操作するかあるいは所定時間経過時に前記選択された設定具の操作による設定を有効とする制御手段を設けたことを特徴とする。
【発明の効果】
【０００７】
この発明の穀物乾燥機の制御装置は、一つの設定値調整具によって複数の設定値の調整を行わせることにより、調整具の数を少なくして廉価にするとともに、設定の幅や間隔を容易に変えさせ、乾燥条件を容易に設定させて操作性を高くすることができる。
【発明を実施するための最良の形態】
【０００８】
この発明は、調整具の数を少なくして廉価にしたり、設定の幅や間隔を容易に変えさせ、乾燥条件を容易に設定させて操作性を高くする目的を、一つの設定値調整具によって複数の設定値の調整を行わせて実現するものである。
以下図面に基づいてこの発明の実施例を詳細且つ具体的に説明する。
【実施例】
【０００９】
図１〜図２５は、この発明の実施例を示すものである。
【００１０】
図４、図５において、２は穀物乾燥機、４は乾燥機本体である。この乾燥機本体４は、上部から順次に、穀物を貯める貯留部６と、この穀物を乾燥する乾燥部８と、この乾燥した穀物を集める集穀部１０とを備えている。
【００１１】
乾燥機本体４には、図４に示す如く、正面左側に、自動水分計１２及び点検窓１４を備えた昇降機１６が付設されている。この昇降機１６の上部には、図５に示す如く、搬送モータ１８と、排塵機モータ２０及び排塵筒２２を備えた排塵機２４とが設置され、また、上部スクリュ２６が連結されている。また、乾燥機本体４には、正面の貯留部６の位置で、容量表示窓２８が取り付けられているとともに、上部掃除レバー３０及び排出レバー３２が設置されている。
【００１２】
また、乾燥機本体４には、図４に示す如く、乾燥部８の位置で、正面右側に、バーナ（図示せず）を内蔵した熱風器３４が取り付けられている。この熱風器３４には、燃料タンク３６の燃料ホース３８が接続している。
【００１３】
更に、乾燥機本体４には、図５に示す如く、乾燥部８の位置で、後面の下後段カバー４０に、送風機モータ４２及び排風筒４４を備えた送風機４６が設置され、また、下後段カバー４０の下方に、循環モータ４８が取り付けられている。
【００１４】
乾燥機本体４の一側面には、図４に示す如く、乾燥部８の位置で、張込ホッパ５０が取り付けられている。
【００１５】
熱風器３４には、正面で、図４に示す如く、穀物量と水分値と乾燥時間とを設定して穀物を乾燥制御する制御盤であるコントロールボックス５２が取り付けられているとともに、側面で、このコントロールボックス５２の電源スイッチ５４が取り付けられている（図２参照）。この電源スイッチ５４は、スイッチ操作部５４Ａを備えている。
【００１６】
図１に示す如く、コントロールボックス５２の操作パネル５６には、運転停止操作部５８と条件選択部６０と設定値設定部６２と各種設定部６４と設定値表示器６６とモニタ表示器６８と設定値調整具７０とが設けられている。
【００１７】
運転停止操作部５８には、張込ランプを７２Ａを備えた張込運転ボタン７２と、乾燥ランプ７４Ａを備えた乾燥運転ボタン７４と、排出ランプ７６Ａを備えた排出運転ボタン７６と、停止ランプ７８Ａを備えた停止ボタン７８とが設けられている。この運転停止操作部５８においては、図３に示す如く、張込運転ボタン７２と乾燥運転ボタン７４と排出運転ボタン７６とを運転・停止することにより、搬送モータ１８・排塵機モータ２０・送風機モータ４２・循環モータ４８・排出スロワ（図示せず）が、所定に運転・停止させる。
【００１８】
条件選択部６０には、籾ランプ８０Ａと小麦ランプ８０Ｂと大麦ランプ８０Ｃとを備えた穀物選択ボタン８０と、連続ランプ８２Ａと二段ランプ８２Ｂとを備えた運転選択ボタン８２と、標準ランプ８４Ａと食味ランプ８４Ｂと静音ランプ８４Ｃと高速ランプ８４Ｄとを備えた乾燥選択ボタン８４とが設けられている。この条件選択部６０においては、乾燥する穀物の種類や乾燥方法を選択する。
【００１９】
設定値設定部６２には、穀物量を設定する穀物量設定具である穀物量ボタン８６と、水分値を設定する水分値設定具である水分ボタン８８と、乾燥時間を設定する乾燥時間設定具であるタイマボタン９０とが設けられている。
【００２０】
穀物量ボタン８６は、張り込まれた穀物量（窓の数字）に合わせると、熱風温度を自動設定させる。水分ボタン８８は、希望する仕上り水分値を、例えば、１０．５％〜３３％の範囲で、０．１％きざみで設定したり、１７．０％〜３３％の範囲では、０．５％きざみで設定する。タイマボタン９０は、運転時間を設定するものであり、最大２４時間で、３時間以内は、０．１時間（６分）単位で、３時間以上では、０．５時間（３０分）単位で設定する。
【００２１】
各種設定部６４には、コメットランプ９２Ａを備えたコメットボタン９２と、データランプ９４Ａを備えたデータボタン９４と、送風ランプ９６Ａを備えた送風ボタン９６と、掃除ランプ９８Ａを備えた掃除ボタン９８とが設けられている。
【００２２】
コメットボタン９２は、現在の穀物の水分値を測定させる（排出中、停止中）。データボタン９４は、乾燥中の各種データを表示するものであり、一回押すと、直近の測定水分を表示し、二回押すと、データの種類として、乾燥番号、初期穀物量、初期水分、乾燥時間、停止時設定温度、停止時水分を表示し、また、三回押すと、稼働時間を表示し、四回押すと、３回分の異常コードを表示し、五回押すと、標準の表示に戻す。送風ボタン９６は、送風機４６だけを運転したいときや、張り込み中、送風機４６を運転したいときに使用される。掃除ボタン９８は、乾燥機本体４内に穀物が入っていない状態で操作され、操作されている間だけ穀物乾燥機２を運転し、乾燥部８の繰出バルブ（図示せず）の下側の残留穀物を排出させる。
【００２３】
設定値表示器６６には、設定表示ボックス１００と、穀物量指示ランプ１０２と、水分値指示ランプ１０４と、タイマ指示ランプ１０６とが設けられている。この設定値表示器６６においては、設定穀物量と設定水分値と設定乾燥時間とを表示するとともに、水分値の測定中に、測定粒数を表示する。
【００２４】
モニタ表示器６８には、モニタ表示ボックス１０８と、設定温度記号ランプ（窓）１１０と、水分値記号ランプ１１２と、残時間記号ランプ１１４と、バラツキ表示部１１６と、未熟米表示部１１８とが設けられている。このモニタ表示器６８においては、穀物の乾燥中に、熱風温度と穀物水分値と乾燥残時間とを順次に表示し、また、異常が発生した場合の異常コード（エラーコード）を表示し、乾燥運転以外のときは、周囲（外気）温度を表示する。
【００２５】
バラツキ表示部１１６は、自動水分値１２で測定した穀物の水分のバラツキを、「多い」、「普通」、「少ない」の３段階に表示する。未熟米表示部１１８は、籾玄米の未熟粒の割合を、「多い」、「普通」、「少ない」の３段階に表示する。
【００２６】
設定値調整具７０は、回転式のツマミからなり、ツマミ本体７０Ａを有し、時計方向（＋側）に回されると、設定値の数字を大きく調整し、一方、反時計方向（−側）に回されると、設定値の数字を小さく調整する。この設定値調整具７０においては、穀物量ボタン８６の操作後に設定穀物量を調整可能にするとともに、水分ボタン８８の操作後に設定水分値を調整可能とし、且つ、タイマボタン９０の操作後に設定乾燥時間を調整可能とする。例えば、穀物量ボタン８６を押してから、設定値調整具７０を「＋」方向に回して穀物量に相当する熱風温度に上げたり、あるいは、設定値調整具７０を「−」方向に回して穀物量に相当する熱風温度に下げる。また、タイマボタン９０を押してから、設定値調整具７０を回し、希望する運転時間に、乾燥時間を設定し、この場合、３時間以内は、０．１時間（６分）単位で、３時間以上では、０．５時間（３０分）単位で、最大２４時間まで設定可能である。
【００２７】
また、コントロールボックス５２には、制御手段１２０が設けられている。この制御手段１２０は、穀物量ボタン８６と水分ボタン８８とタイマボタン９０との少なくとも一つの設定具を選択操作した後に、設定値調整具７０を操作し、そして、他の操作具を操作するかあるいは所定時間経過時に、選択された設定具の操作による設定を有効とする。
【００２８】
設定表示器６６の設定表示ボックス１００は、乾燥運転時において、設定された穀物量と水分値と乾燥時間とを変更する場合に、新たに設定された穀物量に対応する設定熱風温度と水分値と乾燥時間とを所定時間表示する。
【００２９】
次に、この実施例の作用を説明する。
【００３０】
籾の標準乾燥運転を、図６〜図１６に基づいて説明する。
【００３１】
図６に示す如く、電源スイッチ５４のスイッチ操作部５４Ａを「入」に切り替えると、停止ランプ７８Ａが点灯する。また、モニタ表示器６８のモニタ表示ボックス１０８には、周囲温度が表示される。そして、穀物選択ボタン８０を押すと、籾ランプ８０Ａが点灯する。
【００３２】
図７に示す如く、運転選択ボタン８２を押すと、連続ランプ８２Ａが点灯し、そして、図８に示す如く、乾燥選択ボタン８４を押すと、標準ランプ８４Ａが点灯する。
【００３３】
図９に示す如く、穀物量ボタン８６を押すと、設定表示器６６の穀物量指示ランプ１０２が点灯し、設定値調整具７０を回して、設定表示器６６の設定表示ボックス１００で、張り込まれた穀物量の数字に合わせる。この場合、乾燥選択ボタン８４を押した後に、設定値調整具７０を回して穀物量を変更することが可能である。
【００３４】
図１０に示す如く、水分ボタン８８を押すと、設定表示器６６の水分指示ランプ１０４が点灯し、設定値調整具７０を回して目標の水分値に合わせる。このように、水分ボタン８８を押すことにより、前記穀物量ボタン８６による穀物量の設定が有効になる。
【００３５】
図１１に示す如く、乾燥ボタン７４を押すと、乾燥ランプ７４Ａが点灯し、熱風器３４のバーナが点火して乾燥が開始し、また、自動水分計１２が穀物の水分値の測定を開始する。
【００３６】
そして、モニタ表示器６８の表示ボックス１０８は、図１２に示す如く、温度記号ランプ１１０が点灯して設定温度を表示し、水分値記号ランプ１１２が点灯し、水分値としての「０００」を表示し、そして、残時間記号ランプ１１４が点灯し、乾燥残時間としての「−−−」を表示し、その後、温度記号ランプ１１０が点灯して熱風温度を表示し、水分値記号ランプ１１２が点灯して水分値を表示し、そして、残時間記号ランプ１１４が点灯して乾燥残時間を表示する。
【００３７】
バーナは、設定乾燥温度に近づくと、消火と燃焼とを繰り返して、自動的に熱風温度を設定温度に保つ。
【００３８】
モニタ表示器６８は、２００粒の水分の測定が終了すると、図１３に示す如く、モニタ表示ボックス１０８に平均水分値を表示し、また、バラツキ表示部１１６に水分値のバラツキを表示し、未熟米表示部１１８に未熟米を表示する。水分値の測定中は、コメットボタン９２のコメットランプ９２Ａが点滅し、設定表示器６６の設定表示ボックス１００に測定した粒数が表示される。
【００３９】
その後、穀物乾燥機２は、３０分間隔で、自動測定を繰り返す。
【００４０】
乾燥運転中に、穀物量の設定を変えると、設定表示器６６の設定表示ボックス１００には、新たに設定した穀物量に対応する設定熱風温度が５秒間表示される。また、乾燥運転中に、水分値の設定を変えると、設定表示器６６の設定表示ボックス１００には、新たなに設定された水分値が５秒間表示される。
【００４１】
そして、設定水分値になると、穀物乾燥機２が自動停止し、乾燥ボタン７４の乾燥ランプ７４Ａが点滅する。モニタ表示器６８は、図１４に示す如く、設定熱風温度と設定水分値を交互に表示する。
【００４２】
図１５に示す如く、停止ボタン７８を押すと、停止ランプ７８Ａが点灯し、モニタ表示器６８では、温度・水分の表示が消え、周囲温度が表示される。
【００４３】
図１６に示す如く、電源スイッチ５４のスイッチ操作部５４Ａを「切」に切り替えると、停止ボタン７８の停止ランプ７８Ａが消灯し、また、モニタ表示器６８のモニタ表示ボックス１０８の表示が消える。
【００４４】
次いで、籾のタイマ乾燥運転を、図１７〜図２５に基づいて説明する。
【００４５】
図１７に示す如く、電源スイッチ５４のスイッチ操作部５４Ａを「入」に切り替えると、停止ランプ７８Ａが点灯する。また、モニタ表示器６８のモニタ表示ボックス１０８には、周囲温度が表示される。
【００４６】
図１８に示す如く、穀物量ボタン８６を押すと、設定表示器６６の穀物量指示ランプ１０２が点灯し、設定値調整具７０を回して、設定表示器６６の設定表示ボックス１００で、張り込まれた穀物量の数字に合わせる。
【００４７】
図１９に示す如く、水分ボタン８８を押し、設定表示器６６の水分値指示ランプ１０４が点灯し、設定値調整具７０を回して、設定表示器６６の設定表示ボックス１００で、自動水分計１２の設定水分値を「ＯＦＦ」にする。このように、水分ボタン８８を押すことにより、前記穀物量ボタン８６による穀物量の設定が有効になる。
【００４８】
図２０に示す如く、乾燥ボタン７４を押すと、乾燥ランプ７４Ａが点灯し、乾燥が開始する。この場合、乾燥ボタン７４を押す前に、タイマボタン９０により乾燥時間を設定することも可能である。
【００４９】
図２１に示す如く、タイマボタン９０を押すと、設定表示器６６のタイマ指示ランプ１０６が点灯し、設定値調整具７０を回して、設定表示器６６の設定表示ボックス１００で、乾燥時間を設定する。この場合、設定値調整具７０においては、最大２４時間で、３時間以内は、０．１時間（６分）単位で、３時間以上は、０．５時間（３０分）単位で設定することができる。このように、タイマボタン９０を押すことにより、前記水分ボタン８８による水分値の設定が有効になる。
【００５０】
そして、モニタ表示器６８のモニタ表示ボックス１０８には、図２２に示す如く、熱風温度と設定水分値としての「−−−」と乾燥残時間とが交互に表示される。
【００５１】
その後、設定した乾燥時間が経過すると、穀物乾燥機２が停止し、乾燥ボタン７４の乾燥ランプ７４Ａが点灯したままで、モニタ表示器６８のモニタ表示ボックス１０８には、図２３に示す如く、交互表示の時間が、「０．０」で表示される。
【００５２】
図２４に示す如く、停止ボタン７８を押すと、停止ランプ７８Ａが点灯する。モニタ表示器６８のモニタ表示ボックス１０８には、周囲温度が表示される。
【００５３】
そして、図２５に示す如く、電源スイッチ５４のスイッチ操作部５４Ａを「切」に切り替えると、停止ボタン７８の停止ランプ７８Ａが消灯し、また、モニタ表示器６８のモニタ表示ボックス１０８の表示が消える。
【００５４】
この結果、穀物量設定具である穀物量ボタン８６の操作後に設定穀物量を調整可能にするとともに水分値設定具である水分ボタン８８の操作後に設定水分値を調整可能とし且つ乾燥時間設定具であるタイマボタン９０の操作後に設定乾燥時間を調整可能とする設定値調整具７０を設け、設定穀物量と設定水分値と設定乾燥時間とを表示する設定値表示器６６を設け、穀物量ボタン８６と水分ボタン８８とタイマボタン９０との少なくとも一つの設定具を選択操作した後に他の操作具を操作するかあるいは所定時間経過時に前記選択された設定具の操作による設定を有効とする制御手段１２０を設けた。これにより、一つの設定値調整具７０によって複数の設定値の調整を行わせることにより、調整具の数を少なくして廉価にするとともに、制御手段１２０のソフトウェアによる処理によって設定の幅や間隔を容易に変えさせ、乾燥条件を容易に設定させて操作性を高くすることができ、しかも、穀物量ボタン８６と水分ボタン８８とタイマボタン９０との少なくとも一つの設定具を選択操作した後に他の操作具を操作するかあるいは所定時間経過時に前記選択された設定具の操作による設定を有効とし、誤操作を防止することができる。
【００５５】
また、制御盤であるコントロールボックス５２には、穀物の乾燥中に、熱風温度と穀物水分値と乾燥残時間とを順次に表示するモニタ表示器６８を設けたことにより、穀物の乾燥状態を容易に認識させることができる。
【００５６】
更に、設定表示器６６は、乾燥運転時で前記設定された穀物量と水分値と乾燥時間とを変更する場合に、新たに設定された穀物量と水分値と乾燥時間とを所定時間表示することにより、モニタ表示器６８で表示された穀物量と水分値と乾燥時間と対比させながら新たな設定を行うことができ、設定作業を簡便で確実に行わせることができる。
【産業上の利用可能性】
【００５７】
一つの設定値調整具によって複数の設定値の調整を行わせることを、他の装置にも適用することができる。
【図面の簡単な説明】
【００５８】
【図１】穀物乾燥機のコントロールボックスの正面図である。
【図２】電源スイッチの正面図である。
【図３】運転ボタンによる各モータの駆動状態を示す説明図である。
【図４】穀物乾燥機の正面側の斜視図である。
【図５】穀物乾燥機の後面側の斜視図である。
【図６】籾の標準乾燥運転時において電源スイッチを入れ、停止ボタンを押し、穀物選択ボタンを押した状態の説明図である。
【図７】籾の標準乾燥運転時において運転選択ボタンを押した状態の説明図である。
【図８】籾の標準乾燥運転時において乾燥選択ボタンを押した状態の説明図である。
【図９】籾の標準乾燥運転時において穀物量設定ボタンを押し、設定値調整具を回して穀物量を設定する状態の説明図である。
【図１０】籾の標準乾燥運転時において水分値設定ボタンを押し、設定値調整具を回して水分値を設定する状態の説明図である。
【図１１】籾の標準乾燥運転時において乾燥ボタンを押した状態の説明図である。
【図１２】籾の標準乾燥運転時においてモニタ表示部に熱風温度と水分値と乾燥残時間とを表示した状態の説明図である。
【図１３】籾の標準乾燥運転時においてモニタ表示部に水分値を表示した状態の説明図である。
【図１４】籾の標準乾燥運転時においてモニタ表示部に設定熱風温度と設定水分値とを交互に表示した状態の説明図である。
【図１５】籾の標準乾燥運転時において停止ボタンを押した状態の説明図である。
【図１６】籾の標準乾燥運転時において電源スイッチを切った状態の説明図である。
【図１７】籾のタイマ乾燥運転時において電源スイッチを入れ、停止ボタンを押した状態の説明図である。
【図１８】籾のタイマ乾燥運転時において穀物量設定ボタンを押し、設定値調整具を回して穀物量を設定する状態の説明図である。
【図１９】籾のタイマ乾燥運転時において水分値設定ボタンを押し、設定値調整具を回して水分値を「ＯＦＦ」状態とする説明図である。
【図２０】籾のタイマ乾燥運転時において乾燥ボタンを押して乾燥を開始する状態の説明図である。
【図２１】籾のタイマ乾燥運転時においてタイマボタンを押して乾燥時間を設定する状態の説明図である。
【図２２】籾のタイマ乾燥運転時においてモニタ表示部に設定熱風温度と設定水分値と乾燥残時間とを交互に表示した状態の説明図である。
【図２３】籾のタイマ乾燥運転時においてモニタ表示部に乾燥残時間の「０．０」を表示した状態の説明図である。
【図２４】籾のタイマ乾燥運転時において停止ボタンを押した状態の説明図である。
【図２５】籾のタイマ燥運転時において電源スイッチを切った状態の説明図である。
【符号の説明】
【００５９】
２  穀物乾燥機
４  乾燥機本体
１２  自動水分計
５２  コントロールボックス
５４  電源スイッチ
５６  操作パネル
５８  運転停止操作部
６０  条件選択部
６２  設定値設定部
６４  各種設定部
６６  設定値表示器
６８  モニタ表示器
７０  設定値調整具
７２  張込ボタン
７４  乾燥ボタン
７６  排出ボタン
７８  停止ボタン
８６  穀物量ボタン
８８  水分ボタン
９０  タイマボタン
１００  設定表示ボックス
１０８  モニタ表示ボックス
１２０  制御手段
【図１】
2007057185.tif 000003
【図２】
2007057185.tif 000004
【図３】
2007057185.tif 000005
【図４】
2007057185.tif 000006
【図５】
2007057185.tif 000007
【図６】
2007057185.tif 000008
【図７】
2007057185.tif 000009
【図８】
2007057185.tif 000010
【図９】
2007057185.tif 000011
【図１０】
2007057185.tif 000012
【図１１】
2007057185.tif 000013
【図１２】
2007057185.tif 000014
【図１３】
2007057185.tif 000015
【図１４】
2007057185.tif 000016
【図１５】
2007057185.tif 000017
【図１６】
2007057185.tif 000018
【図１７】
2007057185.tif 000019
【図１８】
2007057185.tif 000020
【図１９】
2007057185.tif 000021
【図２０】
2007057185.tif 000022
【図２１】
2007057185.tif 000023
【図２２】
2007057185.tif 000024
【図２３】
2007057185.tif 000025
【図２４】
2007057185.tif 000026
【図２５】
2007057185.tif 000027